(57)【要約】【課題】落下等の衝撃でカバーが開放することを抑制する印刷装置を提供する。【解決手段】印刷装置１は、印刷媒体を収容する第２収容部２０Ｂ、サーマルヘッドを有する。印刷装置１の筐体は、開口部２Ｃを有する第１カバー２、及び、第１カバー２の開口部２Ｃを開閉可能に覆う第２カバーを有する。第１カバー２は、サーマルヘッドを支持する第１フレーム、及び、印刷媒体を保持する第２フレーム４を内部に収容する。第１フレームには、第２カバーを閉塞させる第１位置と、第２カバーを開放させる第２位置との間で移動可能な係合部材７６が設けられる。第２フレームは当接部を有する。印刷装置は、外力による第２フレーム４の変形に応じ、第１位置にある係合部材に第２フレーム４が接触して第２位置に移動することを、当接部を介して第２フレーム４を第１フレームに当接させることで抑制する。【選択図】図１９
2018039217.tif 000002
【特許請求の範囲】
【請求項１】
箱状の筐体と、
前記筐体の内部のうち、印刷媒体を収容する収容部と、
前記印刷媒体に印刷を行う印刷機構と
を有する印刷装置であって、
前記筐体は、
前記収容部を開放する開口部を有する第１カバー、及び、前記第１カバーの前記開口部を開閉可能に覆う第２カバーを有し、
前記第１カバーは、
前記印刷機構を支持する第１フレーム、及び、前記印刷媒体を保持する第２フレームを内部に収容し、
前記第１フレームには、前記第２カバーと係合して閉塞させる第１位置と、前記第２カバーを脱離させて開放させる第２位置との間で移動可能な係合部材が設けられ、
前記第１フレームは第１方向の一方側に配置され、前記第２フレームは前記第１方向の他方側に配置され、
前記第１フレーム及び前記第２フレームの少なくとも一方は、当接部を有し、
外力による前記第２フレームの変形に応じ、前記第１位置にある前記係合部材の一部に前記第２フレームが接触して前記第２位置に移動することを、前記当接部を介して前記第２フレームを前記第１フレームに当接させることで抑制することを特徴とする印刷装置。
【請求項２】
前記係合部材は、
前記第１方向と直交する第２方向の両側に設けられ、前記第２カバーに２箇所で係合可能な一対の第１係合部と、
前記一対の第１係合部の間に亘って前記第２方向に延びる第２係合部と
を有し、
前記係合部材の一部は、前記第２係合部であることを特徴とする請求項１に記載の印刷装置。
【請求項３】
前記当接部は、前記第２フレームのうち前記第２方向の両側に設けられたことを特徴とする請求項２に記載の印刷装置。
【請求項４】
前記当接部は、前記第２係合部に対して、前記第１方向及び前記第２方向と直交する第３方向の両側に設けられたことを特徴とする請求項２又は３に記載の印刷装置。
【請求項５】
前記印刷機構は、感熱ヘッドを有し、
前記第２カバーの一端側は、前記第２方向に延びる軸を中心として前記第１カバーに回転可能に支持され、
前記第２カバーの他端側は、前記第２方向に延びる軸を中心とするプラテンを回転可能に支持し、
前記プラテンは、
前記第２カバーが閉塞した状態で、前記印刷媒体を前記感熱ヘッドに押し付けることが可能であり、
前記一対の第１係合部は、前記プラテンに対して前記第２方向の外側で、前記第２カバーに係合可能であることを特徴とする請求項２から４の何れかに記載の印刷装置。
【請求項６】
前記第１フレームは、前記第１カバーの内部のうち、前記第１方向略中央に収容され、
前記収容部は、前記第１カバーの内部のうち、前記第１方向略中央に対して前記他方側に形成され、
前記第２フレームは、
前記収容部の内部に保持され、
前記第１フレームと対向する板状の基礎部、及び、前記印刷媒体を前記第２方向の外側から挟持する一対の挟持部を備え、
前記当接部は、
前記第２フレームの前記基礎部のうち、前記第１フレームと対向する対向面に形成され、
前記第１方向の前記一方側に向かう方向の外力によって前記第２フレームが変形したときに、前記第１フレームに当接することを特徴とする請求項２から５の何れかに記載の印刷装置。
【請求項７】
前記当接部は、前記第２フレームに設けられたリブであり、
前記第１フレームと前記リブとの間の第１隙間は、前記係合部材と前記第２フレームとの間の第２隙間よりも小さいことを特徴とする請求項１から６の何れかに記載の印刷装置。
【請求項８】
前記第２フレームは係止部を更に有し、
前記係止部は、
外力により前記第２フレームが変形した状態で、前記係合部材が前記第１位置から前記第２位置に移動するときの移動経路の何れかに配置され、前記第１位置にある前記係合部材が前記第２位置に移動することを規制することを特徴とする請求項１から７の何れかに記載の印刷装置。
【発明の詳細な説明】
【技術分野】
【０００１】
本発明は、印刷装置に関する。
【背景技術】
【０００２】
携帯可能な印刷装置が提案されている。特許文献１は、ベルトクリップを備えた印刷装置を開示する。例えばユーザは、ベルトクリップを腰ベルトに装着することによって、印刷装置を携帯して使用できる。
【先行技術文献】
【特許文献】
【０００３】
【特許文献１】特開２０１５−１６０４２７号公報
【発明の概要】
【発明が解決しようとする課題】
【０００４】
印刷装置が着脱される際、ユーザが誤って印刷装置を落下させてしまう場合がある。この場合、落下時の印刷装置の高さによっては、落下の衝撃で、印刷媒体を収容する収容部のカバーが開放する可能性がある。
【０００５】
本発明の目的は、落下等の衝撃でカバーが開放することを抑制する印刷装置を提供することである。
【課題を解決するための手段】
【０００６】
本発明に係る印刷装置は、箱状の筐体と、前記筐体の内部のうち、印刷媒体を収容する収容部と、前記印刷媒体に印刷を行う印刷機構とを有する印刷装置であって、前記筐体は、前記収容部を開放する開口部を有する第１カバー、及び、前記第１カバーの前記開口部を開閉可能に覆う第２カバーを有し、前記第１カバーは、前記印刷機構を支持する第１フレーム、及び、前記印刷媒体を保持する第２フレームを内部に収容し、前記第１フレームには、前記第２カバーと係合して閉塞させる第１位置と、前記第２カバーを脱離させて開放させる第２位置との間で移動可能な係合部材が設けられ、前記第１フレームは第１方向の一方側に配置され、前記第２フレームは前記第１方向の他方側に配置され、前記第１フレーム及び前記第２フレームの少なくとも一方は、当接部を有し、外力による前記第２フレームの変形に応じ、前記第１位置にある前記係合部材の一部に前記第２フレームが接触して前記第２位置に移動することを、前記当接部を介して前記第２フレームを前記第１フレームに当接させることで抑制することを特徴とする。
【０００７】
印刷装置では、第１方向において第１フレームと第２フレームとの間に、係合部材の一部が配置される。ここで、印刷装置が落下した場合、落下の衝撃で第２フレームに力が作用し、変形する場合がある。これに対し、印刷装置において、第１フレーム及び第２フレームの少なくとも一方に当接部が設けられる。第２フレームが変形した場合、第２フレームは、当接部を介して第１フレームに当接するので、係合部材の一部とは接触しない。これによって、印刷装置は、第２フレームが係合部材の一部に接触して、係合部材が第１位置から第２位置に移動し、第２カバーが開放することを抑制できる。従って、印刷装置は、落下の衝撃で第２カバーが開放することを、第１フレーム及び第２フレームの少なくとも一方に設けられた当接部によって抑制できる。
【０００８】
本発明において、前記係合部材は、前記第１方向と直交する第２方向の両側に設けられ、前記第２カバーに２箇所で係合可能な一対の第１係合部と、前記一対の第１係合部の間に亘って前記第２方向に延びる第２係合部とを有し、前記係合部材の一部は、前記第２係合部であってもよい。この場合、係合部材は、第２方向に離隔した一対の第１係合部を設けることによって、２箇所で第２カバーと係合可能となる。このため、印刷装置は、第２カバーの閉塞状態を安定的に維持できる。又、係合部材は、一対の第１係合部を連結する第２係合部を設けることによって、一対の第１係合部を第１位置と第２位置との間で連動して移動させることができる。更に、印刷装置は、第２フレームが第２係合部に接触することによって一対の第１係合部が第２カバーから脱離し、第２カバーが開放することを、第１フレーム及び第２フレームの少なくとも一方に設けられた当接部によって抑制できる。
【０００９】
本発明において、前記当接部は、前記第２フレームのうち前記第２方向の両側に設けられてもよい。この場合、印刷装置は、第２方向に延びる第２係合部に第２フレームが接触することを、第２方向の両側で抑制できる。このため、印刷装置は、第２係合部の第２方向の全域に亘って第２フレームが接触することを抑制できるので、第２カバーが開放することを適切に抑制できる。
【００１０】
本発明において、前記当接部は、前記第２係合部に対して、前記第１方向及び前記第２方向と直交する第３方向の両側に設けられてもよい。この場合、当接部は、第２方向に延びる第２係合部に第２フレームが接触することを、第２係合部に対して上下両側で抑制できる。このため、印刷装置は、第２係合部に対して当接部が上下方向の一方側にのみ設けられる場合と比べて、第２カバーが開放することを更に適切に抑制できる。
【００１１】
本発明において、前記印刷機構は、感熱ヘッドを有し、前記第２カバーの一端側は、前記第２方向に延びる軸を中心として前記第１カバーに回転可能に支持され、前記第２カバーの他端側は、前記第２方向に延びる軸を中心とするプラテンを回転可能に支持し、前記プラテンは、前記第２カバーが閉塞した状態で、前記印刷媒体を前記感熱ヘッドに押し付けることが可能であり、前記一対の第１係合部は、前記プラテンに対して前記第２方向の外側で、前記第２カバーに係合可能であってもよい。この場合、印刷装置は、一端側で回転可能に支持された第２カバーに対し、他端側に係合部を係合させることによって、第２カバーを閉塞状態で安定的に維持できる。又、印刷装置は、プラテンの第２方向の外側に一対の第１係合部を係合させることによって、プラテンの位置を安定化できる。このため、印刷装置は、プラテンによって印刷媒体を感熱ヘッドに安定的に押し当てることができるので、印刷の品質を良好に維持できる。
【００１２】
本発明において、前記第１フレームは、前記第１カバーの内部のうち、前記第１方向略中央に収容され、前記収容部は、前記第１カバーの内部のうち、前記第１方向略中央に対して前記他方側に形成され、前記第２フレームは、前記収容部の内部に保持され、前記第１フレームと対向する板状の基礎部、及び、前記印刷媒体を前記第２方向の外側から挟持する一対の挟持部を備え、前記当接部は、前記第２フレームの前記基礎部のうち、前記第１フレームと対向する対向面に形成され、前記第１方向の前記一方側に向かう方向の外力によって前記第２フレームが変形したときに、前記第１フレームに当接してもよい。第１方向の一方側に向かう方向の外力が第２フレームに作用した場合、一対の挟持部によって挟持された印刷媒体が基礎部に接触し、基礎部が変形する場合がある。これに対し、印刷装置では、基礎部のうち第１フレームに対向する対向面に当接部が設けられる。従って、印刷装置は、外力に応じて基礎部が変形した場合、当接部が第１フレームに当接するので、基礎部は係合部材に接触しない。このため、印刷装置は、基礎部が係合部材に接触して第２カバーが開放することを、当接部によって抑制できる。
【００１３】
本発明において、前記当接部は、前記第２フレームに設けられたリブであり、前記第１フレームと前記リブとの間の第１隙間は、前記係合部材と前記第２フレームとの間の第２隙間よりも小さくてもよい。この場合、第２フレームが変形したときに、第１フレームにリブが当接して隙間がなくなっても、係合部材の第２係合部と第２フレームとの間には隙間がある。よって、第２フレームは第２係合部に接触しない。このため、印刷装置は、第２フレームが第２係合部に接触して第２カバーが開放することを、リブによって適切に抑制できる。
【００１４】
本発明において、前記第２フレームは係止部を更に有し、前記係止部は、外力により前記第２フレームが変形した状態で、前記係合部材が前記第１位置から前記第２位置に移動するときの移動経路の何れかに配置され、前記第１位置にある前記係合部材が前記第２位置に移動することを規制してもよい。係止部は、第２フレームが変形した状態で、係合部材の移動経路の何れかに配置される。この状態で、係合部材の第１位置から第２位置への移動は抑制される。従って、印刷装置は、外力によって第２フレームが変形した場合でも、係合部材が第１位置から第２位置に移動して第２カバーが開放することを、係止部によって抑制できる。
【図面の簡単な説明】
【００１５】
【図１】印刷装置１（閉塞状態）の斜視図である。
【図２】印刷装置１（開放状態）の斜視図である。
【図３】第１下カバー２Ａの斜視図である。
【図４】第１上カバー２Ｂの斜視図である。
【図５】印刷装置１（蓋部材２３Ｂ及び電池５を除く）の斜視図である。
【図６】第３収容部２０Ｃを右側から見た断面図である。
【図７】電池５の斜視図である。
【図８】電池５の斜視図である。
【図９】印刷装置１（第３収容部２０Ｃに電池５が収容された状態）の斜視図である。
【図１０】第２カバー３の斜視図である。
【図１１】図１０の一部を拡大した図である。
【図１２】第１下カバー２Ａ及び第１フレーム７の斜視図である。
【図１３】第１フレーム７の斜視図である。
【図１４】第１フレーム７を後側から見た図である。
【図１５】第１フレーム７を上側から見た図である。
【図１６】係合部材７６の斜視図である。
【図１７】第１フレーム７（係合部材７６：第１位置）を右側から見た図である。
【図１８】第１フレーム７（係合部材７６：第２位置）を右側から見た図である。
【図１９】印刷装置１（第２カバー３を省略した状態）の斜視図である。
【図２０】図１のＡ−Ａ線近傍を矢印方向から見た断面図である。
【図２１】第１下カバー２Ａ、第１フレーム７、及び、制御基板８の斜視図である。
【図２２】図１のＢ−Ｂ線を矢印方向から見た断面図である。
【図２３】第２フレーム４の斜視図である。
【図２４】第２フレーム４を後側から見た図である。
【図２５】第２フレーム４を前側から見た図である。
【図２６】基礎部４１の斜視図である。
【図２７】図１のＡ−Ａ線近傍を矢印方向から見た断面図の一部を拡大した図である。
【図２８】図１のＡ−Ａ線近傍を矢印方向から見た断面図の一部を拡大した図である。
【図２９】係合部材７６０の斜視図である。
【図３０】第１変形例における印刷装置１Ｂ（閉塞状態）の斜視図である。
【図３１】第１変形例における印刷装置１Ｂ（開放状態）の斜視図である。
【図３２】第１変形例における印刷装置１Ｂ（開放状態）を上側から見た図である。
【図３３】第２変形例における第２フレーム４Ｂ（変形前）、係合部材７６の断面図である。
【図３４】第２変形例における第２フレーム４Ｂ（変形後）、係合部材７６の断面図である。
【発明を実施するための形態】
【００１６】
＜印刷装置１＞
以下、本発明の実施形態について、図面を参照して説明する。印刷装置１は、印刷媒体（感熱紙）に印刷を行うことが可能な感熱式の印刷装置である。印刷装置１は、電池駆動が可能である。例えば印刷装置１は、非図示のベルトクリップを介してベルトに装着されることによって、作業中の使用者に携帯されて使用される。印刷装置１は、ＵＳＢ（登録商標）ケーブルを介して外部端末（図示外）に接続可能である。印刷装置１は、外部端末から受信した印刷データに基づいて、印刷媒体に文字や図形等を印刷できる。外部端末は汎用のパーソナルコンピュータ（ＰＣ）である。図１の右下側、左上側、右上側、左下側、上側、及び下側を、それぞれ、印刷装置１の右側、左側、後側、前側、上側、及び下側と定義する。
【００１７】
図１、図２に示すように、印刷装置１は筐体１０を備える。筐体１０は、前後方向に長い略直方体の箱状を有する。筐体１０は、第１収容部２０Ａ（図３参照）、第２収容部２０Ｂ（図３参照）、及び、第３収容部２０Ｃ（図５参照）を内部に有する。第１収容部２０Ａ及び第２収容部２０Ｂに亘って、第１フレーム７（図１２参照）が収容される。第１収容部２０Ａに制御基板８（図２１参照）が収容される。第２収容部２０Ｂに第２フレーム４（図２３参照）が収容される。第３収容部２０Ｃに電池５（図７参照）が収容される。筐体１０は、第１カバー２及び第２カバー３を有する。
【００１８】
＜第１カバー２＞
第１カバー２は、筐体１０の前側、後側、右側、左側、下側、及び、上側のうち前後方向略中央から前側の各壁部を有する。第１カバー２は内部に空間を形成する。第１カバー２は、第１下カバー２Ａ（図３参照）及び第１上カバー２Ｂ（図４参照）を有する。
【００１９】
図３に示すように、第１下カバー２Ａは、筐体１０の右側の壁部（以下、「右壁部２３」という。）、左側の壁部（以下、「左壁部２４」という。）、後側の壁部（以下、「後壁部２５」という。）、及び、下側の壁部（以下、「下壁部２６」という。）を有する。下壁部２６の内面のうち前端部の左右両側、及び、前後方向略中央の左右両側に、円形の貫通穴２６７が設けられる。図４に示すように、第１上カバー２Ｂは、筐体１０の上側の壁部（以下、「上壁部２１」という。）、及び、前側の壁部（以下、「前壁部２２」という。）を有する。上壁部２１の内面の四隅のそれぞれから下側に向けて、円柱状の延設部２１１が延びる。各延設部２１１の下面に螺子穴が設けられる。上壁部２１の内面のうち、右斜め前側の隅に設けられた延設部２１１の後側から下側に向けて、板状の突出部２１２が突出する。上壁部２１の内面の略中央から下側に向けて、複数の平板が枠状に配置された突出部２１３が突出する。
【００２０】
図１、図２に示すように、第１上カバー２Ｂは、第１下カバー２Ａの前後方向略中央から前端部までの部分に、上側から係合する。第１下カバー２Ａの下壁部２６の４つの貫通穴２６７（図３参照）に対して、非図示の螺子が下側から挿通する。各螺子は、第１上カバー２Ｂの４つの延設部２１１（図４参照）の螺子穴に螺合する。これによって、第１上カバー２Ｂは第１下カバー２Ａに固定される。
【００２１】
図３に示すように、第１カバー２の内部空間のうち、上壁部２１（図１、図２参照）に対して下側の部分を、「第１収容部２０Ａ」という。第１収容部２０Ａは、第１カバー２の内部空間のうち、前後方向略中央から前端部に亘って形成される。第１カバー２の内部空間のうち、第１収容部２０Ａに対して後側の部分を、「第２収容部２０Ｂ」という。第２収容部２０Ｂは、第１カバー２の内部空間のうち、前後方向略中央から後端部に亘って形成される。
【００２２】
図２に示すように、上壁部２１の後端部（「端部２１Ａ」という。）、右壁部２３の上端部のうち上壁部２１よりも後側の部分（「端部２３Ａ」という。）、左壁部２４の上端部のうち上壁部２１よりも後側の部分（「端部２４Ａ」という。）、及び、後壁部２５（図３参照）の上端部（「端部２５Ａ」（図３参照）という。）によって囲まれる部分は、矩形状の開口部２Ｃを形成する。開口部２Ｃは、第１カバー２の前後方向略中央から後端部までの上側の部分に形成される。開口部２Ｃは、第２収容部２０Ｂ（図３参照）を開放する。
【００２３】
図４に示すように、前壁部２２に貫通穴２２１が設けられる。貫通穴２２１は、左右方向に長い矩形状である。図１、図２に示すように、貫通穴２２１を介して表示部２２Ｄが外側に露出する。表示部２２Ｄは、印刷媒体に印刷されるキャラクタや設定情報等を表示可能である。
【００２４】
図３に示すように、右壁部２３に貫通穴２３１〜２３４が設けられる。貫通穴２３１は、右壁部２３の前端部近傍の下側に設けられる。貫通穴２３１は、前後方向に長い略矩形状である。貫通穴２３１は、後述する第３収容部２０Ｃ（図５参照）の右側を開放する。右壁部２３のうち貫通穴２３１の後側の近傍に、ロック機構２３Ｄが設けられる。ロック機構２３Ｄは、右壁部２３の外面に沿って前後方向に移動可能である。ロック機構２３Ｄが前側に移動した状態で、ロック機構２３Ｄの前端部は、貫通穴２３１の後端部よりも前側に突出する。ロック機構２３Ｄが後側に移動した状態で、ロック機構２３Ｄの前端部は、貫通穴２３１の後端部よりも後側に配置される。ロック機構２３Ｄは、非図示のばねによって前側に付勢される。
【００２５】
図１に示すように、板状の蓋部材２３Ｂは、右壁部２３の外面のうち貫通穴２３１（図３参照）の後側の部分に回転可能に支持される。蓋部材２３Ｂは、回転に応じて、貫通穴２３１を覆う位置（図１参照）と覆わない位置とに移動可能である。蓋部材２３Ｂに設けられたロック機構２３１Ｂは、蓋部材２３Ｂが貫通穴２３１を覆った状態で、蓋部材２３Ｂの回転を規制する。
【００２６】
図３に示すように、貫通穴２３２は、貫通穴２３１の上側に設けられる。貫通穴２３２の内側に、制御基板８（図２１参照）に実装されたＵＳＢソケットが配置される。外部端末に接続したＵＳＢケーブルのＵＳＢコネクタは、貫通穴２３２に対して外側から挿入され、内側でＵＳＢソケットに接続される。貫通穴２３３は、貫通穴２３２の後側に設けられる。貫通穴２３３の内側に、制御基板８に実装された電源ソケットが配置される。非図示の電源アダプタに接続した電源プラグは、貫通穴２３３に対して外側から挿入され、内側で電源ソケットに接続される。
【００２７】
図１に示すように、板状の蓋部材２３Ｃは、右壁部２３の外面のうち貫通穴２３２、２３３（図３参照）を含む矩形状の領域に嵌合可能である。蓋部材２３Ｃは、右壁部２３に嵌合した状態で貫通穴２３２、２３３を覆う。
【００２８】
図３に示すように、貫通穴２３４は、上下方向に長い略矩形状である。図１に示すように、貫通穴２３４を介して内側から外側にレバー２３Ｌが突出する。レバー２３Ｌは、貫通穴２３４の内部で第１フレーム７（図１２参照）に支持される。レバー２３Ｌは、貫通穴２３４に沿って上下方向に移動可能である。レバー２３Ｌは、後述する第２カバー３の開閉を切り替える。
【００２９】
図３に示すように、後壁部２５には、端部２５Ａよりも上側に突出する２つの支持部２５１が設けられる。一方側の支持部２５１は、端部２５Ａの右端部近傍から上側に突出し、他方側の支持部２５１は、端部２５Ａの左端部近傍から上側に突出する。各支持部２５１は、左右方向に延びる軸部２５２を支持する。各軸部２５２は、対応する支持部２５１から内側に延びる。各軸部２５２にはばね２５３が装着される。
【００３０】
図５に示すように、下壁部２６には、上側に凹んだ凹部２６０が形成される。図３に示すように、凹部２６０は、下壁部２６の前端部近傍に、左右両端部の間に亘って形成される。図６に示すように、凹部２６０は、第１内壁部２６１、２６２、第２内壁部２６３、及び、第３内壁部２６４を有する。第１内壁部２６１、２６２は、前後方向に対向し、且つ、それぞれの各面は前後方向を向く。第１内壁部２６１は、第１内壁部２６２に対して前側に離隔する。第２内壁部２６３は、第１内壁部２６１、２６２のそれぞれの上端部の間に亘って設けられる。第１内壁部２６１、２６２のそれぞれと第２内壁部２６３との接続部分は湾曲する。第３内壁部２６４は、第１内壁部２６１、２６２、及び、第２内壁部２６３の左端部に設けられる。図５に示すように、凹部２６０を下側から覆う蓋部材２６Ａが、下壁部２６に設けられる。蓋部材２６Ａは、下壁部２６に対して着脱可能である。凹部２６０及び蓋部材２６Ａによって覆われる空間を、「第３収容部２０Ｃ」という。
【００３１】
図５に示すように、第３収容部２０Ｃの右端部は開放し、右壁部２３の貫通穴２３１に連通する。第３収容部２０Ｃの第２内壁部２６３のうち、貫通穴２３１と連通する部分の近傍に、上側に凹んだ凹部２６Ｂが形成される。凹部２６Ｂは、貫通穴２３１との連通部分から左側に所定距離だけ延びる。図６に示すように、第３内壁部２６４は、第３収容部２０Ｃの左端部を閉塞する。第３内壁部２６４に、端子２６Ｃ及びばね２６Ｄが設けられる。端子２６Ｃは、第３内壁部２６４の中心部近傍に設けられる。端子２６Ｃは、後述する電池５（図７参照）が第３収容部２０Ｃに収容された場合に、電池５の電極５０（図８参照）に接触可能である。ばね２６Ｄは、端子２６Ｃの後斜め下側に設けられる。ばね２６Ｄは、コイル状の圧縮ばねである。ばね２６Ｄは、左端部で第３内壁部２６４に接続し、右側に延びる。
【００３２】
＜電池５＞
図７、図８に示すように、電池５は、左右方向に長い略直方体である。電池５は２次電池である。電池５は、後述する制御基板８（図２１参照）に電源を供給する。以下、電池５の上側、前側、後側、右側、左側、及び、下側のそれぞれの壁部を、「上壁部５１」「前壁部５２」「後壁部５３」「右壁部５４」「左壁部５５」「下壁部５６」という。左右方向と直交する平面で電池５を切断したときの断面形状は、左右方向と直交する平面で第３収容部２０Ｃ（図６参照）を切断したときの断面形状と略同一である。
【００３３】
図７に示すように、電池５の上壁部５１の前端部近傍及び後端部近傍は湾曲する。上壁部５１の右端部の前後方向略中央の部分、即ち、上壁部５１の右端部のうち前後方向に直線状に延びる部分に、上側に突出する突出部５１０が設けられる。突出部５１０は板状であり、各面は左右方向を向く。
【００３４】
図８に示すように、左壁部５５の中心部近傍に、電極５０が設けられる。左壁部５５に、左側に突出する突出部５５Ａ、突出部５５Ｂ、突出部５５Ｃが設けられる。突出部５５Ａ〜５５Ｃは、弾性材料により構成される。突出部５５Ａは、電極５０の周囲を覆う矩形枠状である。突出部５５Ｂは、突出部５５Ａの後端部の下端部近傍から後側に延びる。突出部５５Ｃは、突出部５５Ａの下端部の後端部近傍から下側に延びる。
【００３５】
＜電池５の収容方法＞
図９に示すように、電池５は、電極５０が設けられた左壁部５５（図８参照）を左側に向けた状態で、筐体１０の右壁部２３の貫通穴２３１を介して第３収容部２０Ｃ（図５参照）内に挿入される（矢印Ｙ１）。なお、電池５を挿入する過程で、ロック機構２３Ｄは、非図示のばねの付勢力に逆らって後側に移動される。このため、電池５の挿入はロック機構２３Ｄによって妨げられない。電池５の前壁部５２、後壁部５３、上壁部５１、及び下壁部５６（図７参照）は、それぞれ、第３収容部２０Ｃの第１内壁部２６１、２６２、第２内壁部２６３（図６参照）、及び蓋部材２６Ａの上面に接触しながら、左側に移動する。電池５が左側に移動する過程で、電池５の右端部の突出部５１０（図７参照）は、第３収容部２０Ｃの凹部２６Ｂに嵌る。
【００３６】
更に電池５が左側に移動し、電池５の右壁部５４が貫通穴２３１と略同一位置まで移動する。電池５の左壁部５５の突出部５５Ａ〜５５Ｃ（図８参照）は、第３収容部２０Ｃの第３内壁部２６４に右側から接触する。突出部５５Ａ〜５５Ｃは弾性を有するので、接触時の衝撃は、突出部５５Ａ〜５５Ｃが圧縮変形することによって和らげられる。又、第３収容部２０Ｃのばね２６Ｄ（図６参照）は、電池５の左壁部５５のうち、突出部５５Ｂの下側且つ突出部５５Ｃの後側の部分Ｐ１（図８参照）に接触して圧縮変形する。ばね２６Ｄは、電池５を右側に付勢する。なお、図６では、電池５は図示していないが、突出部５５Ａ〜５５Ｃとばね２６Ｄの位置関係を説明する都合上、突出部５５Ａ〜５５Ｃの形状を図示している。
【００３７】
このとき、電池５の突出部５１０は、第３収容部２０Ｃの凹部２６Ｂの左端部に接触しない位置にあり、電池５の右壁部５４は、貫通穴２３１よりも僅かに左側に位置する。ロック機構２３Ｄは、非図示のばねの付勢力によって前側に移動し、貫通穴２３１の後端部から前側に突出する。ロック機構２３Ｄは、第３収容部２０Ｃから電池５が外れることを抑制する。又、ばね２６Ｄの付勢力により、電池５はロック機構２３Ｄに向けて右側に押し付けられる。これによって、電池５は第３収容部２０Ｃ内で安定的に保持される。
【００３８】
電池５の左壁部５５の電極５０（図８参照）は、第３収容部２０Ｃの第３内壁部２６４の端子２６Ｃ（図６参照）に接触する。電池５は、電極５０及び端子２６Ｃを介して電源を印刷装置１に供給することが可能となる。印刷装置１は、電池５の電源によって駆動する。
【００３９】
＜第２カバー３＞
図１及び図２に示すように、第２カバー３は、開口部２Ｃ（図２参照）を上側から覆う位置と覆わない位置との間で開閉可能である。以下、第２カバー３が開口部２Ｃを覆った状態（図１参照）を、「第２カバー３が閉じた状態」又は「閉塞状態」という。第２カバー３が開口部２Ｃを覆わない状態（図２参照）を、「第２カバー３が開いた状態」又は「開放状態」という。以下の説明では、第２カバー３が閉じた状態（図１参照）を前提とし、印刷装置１の各方向を第２カバー３に適用して説明する。又、以下で説明する回転方向は、特段限定のない限り、右側から見た状態での方向（時計回り又は反時計回り）を示すものとする。
【００４０】
第２カバー３は、蓋板部３１、及び、側板部３３、３４を有する。蓋板部３１は、一部が湾曲した板状である。図２に示すように、蓋板部３１は、第１カバー２の２つの軸部２５２（図３参照）がそれぞれ挿通される穴を含む突出部３１１を、後端部に有する。側板部３３は、蓋板部３１の右端部に接続する。側板部３３は、湾曲しながら下側に延びる。側板部３４は、蓋板部３１の左端部に接続する。側板部３４は、湾曲しながら下側に延びる。
【００４１】
蓋板部３１の内面の前端部近傍に、プラテンホルダ６８が設けられる。プラテンホルダ６８は、左右両側を螺子６８１Ａで蓋板部３１に固定される。図１０に示すように、プラテンホルダ６８は、前端部の左右両側に軸保持部６８Ａを有する。各軸保持部６８Ａは、後側に凹んだ凹部６８Ｂを有する。プラテンホルダ６８は、後述するプラテン体６０を回転可能に保持する。
【００４２】
第２カバー３は、突出部３１１の穴に挿通された軸部２５２を中心として、第１カバー２に回転可能に支持される。軸部２５２に装着されたばね２５３（図３参照）は、閉塞状態（図１参照）から開放状態（図２参照）に向けて第２カバー３を付勢する。ばね２５３の付勢力に逆らって第２カバー３が反時計回り方向に回転した場合、第２カバー３は第１カバー２の開口部２Ｃを上側から覆い、閉塞状態（図１参照）になる。図１に示すように、閉塞状態において、第１カバー２の上壁部２１の端部２１Ａと第２カバー３の蓋板部３１の前端部とは近接する。それぞれの間に排出口２０が形成される。印刷装置１の内部で印刷された印刷媒体は、排出口２０を介して外部に排出される。一方、ばね２５３の付勢力によって第２カバー３が時計回り方向に回転した場合、図２に示すように、第１カバー２は開放状態となる。この場合、第１カバー２の開口部２Ｃは、第２カバー３によって覆われない。
【００４３】
＜プラテン体６０＞
図１０に示すように、プラテン体６０は、プラテン６１、プラテン軸６２、プラテン軸受６３、６４、及び、ギア６５を有する。プラテン６１は、左右方向に延びる円柱状の部材である。プラテン軸６２は、プラテン６１よりも径の小さい円柱状の部材である。プラテン軸６２は左右方向に延び、プラテン６１の中心を左右方向に貫通する。プラテン軸６２の左右両端は、プラテン６１の左右両端から外側に突出する。プラテン６１はプラテン軸６２に固定される。
【００４４】
図１１に示すように、プラテン軸受６３は、プラテン軸６２のうち、プラテン６１から右側に突出する部分に設けられる。プラテン軸受６３は、プラテン軸６２よりも径の大きい円柱状の部材である。プラテン軸６２は、プラテン軸受６３の中心を左右方向に貫通する貫通穴に、左側から挿通する。プラテン軸受６３は、プラテン軸６２に対して回転可能である。プラテン軸６２の右端部に係止される止め輪６２Ａは、プラテン軸６２からプラテン軸受６３が外れることを防止する。
【００４５】
図１０に示すように、プラテン軸受６４は、プラテン軸６２のうち、プラテン６１から左側に突出する部分に設けられる。プラテン軸受６４は、プラテン軸受６３と同一形状を有する。ギア６５は、プラテン軸受６４の左側に設けられる。ギア６５は、プラテン軸受６４よりも径の大きい平歯車である。ギア６５は、プラテン軸６２の左端部に固定される。
【００４６】
図１１に示すように、プラテン軸受６３の左側略半分の部分は、プラテンホルダ６８の右側の軸保持部６８Ａの凹部６８Ｂに係合する。図１０に示すように、プラテン軸受６４の右側略半分の部分は、プラテンホルダ６８の左側の軸保持部６８Ａの凹部６８Ｂに係合する。プラテン軸受６３、６４は、軸保持部６８Ａの凹部６８Ｂに係合した状態で、プラテン６１を回転可能に保持する。第２カバー３は、前端部のプラテンホルダ６８によって、プラテン６１を回転可能に支持する。
【００４７】
＜第１フレーム７＞
図１２に示すように、第１収容部２０Ａと第２収容部２０Ｂとの境界部分近傍、即ち、第１カバー２の内部のうち前後方向略中央に、第１フレーム７が収容される。第１フレーム７は、後述する第２フレーム４（図１９参照）に対して前側に配置される。第１フレーム７は、モータ７２、サーマルヘッド７４Ａ（図１４参照）、係合部材７６、レバー２３Ｌ等を保持する。第１フレーム７は、支持部７１Ａ〜７１Ｅ（以下、総称して「支持部７１」という。）を有する。
【００４８】
支持部７１Ａは、第１下カバー２Ａの前後方向略中央に保持される。支持部７１Ａは、第１下カバー２Ａの内部空間のうち、前側の第１収容部２０Ａ（図１２参照）の後端部近傍に収容される。支持部７１Ａの後側に、第２収容部２０Ｂ（図１２参照）が配置される。支持部７１Ａは、第２カバー３が閉じた状態で形成される排出口２０（図１参照）の下側に配置される。
【００４９】
図１３に示すように、支持部７１Ａは、前後方向と直交する板状部材７０１を主な構成要素とする。板状部材７０１の左右方向略中央部は、前側に凸状に曲折する。以下、凸状に曲折した部分を、突出部７０Ａという。支持部７１Ａは、突出部７０Ａの下側に突出部７０Ｂを有する。突出部７０Ｂは平板状であり、前側に突出する。突出部７０Ｂの各面は上下方向を向く。
【００５０】
図１４に示すように、支持部７１Ａは、矩形状の開口部７１０Ｈを有する。開口部７１０Ｈの内側に、可動板７４が保持される。可動板７４の各面は、前後方向を向く。可動板７４の後面にサーマルヘッド７４Ａが設けられる。サーマルヘッド７４Ａは、印刷媒体を加熱することによってキャラクタ等を印刷する。サーマルヘッド７４Ａは、左右方向に延びる。図１５に示すように、板状部材７０１の突出部７０Ａの後面から後側に向けて、２つのばね７０２が延びる。２つのばね７０２の後端部は、可動板７４（図１４参照）の前に接続する。可動板７４は、２つのばね７０２によって前後方向に移動可能に支持される。２つのばね７０２は、可動板７４を後側に付勢可能である。
【００５１】
図１４に示すように、可動板７４の上側に、切断部７３が設けられる。切断部７３は、印刷媒体のうちサーマルヘッド７４Ａによって印刷された部分を切り離すことが可能な刃である。切断部７３は左右方向に延びる。可動板７４の下側に、２つの螺子穴７１０Ｂが形成される。２つの螺子穴７１０Ｂは左右方向に離隔する。
【００５２】
図１３に示すように、支持部７１Ｂは、支持部７１Ａの右端部近傍から前側に延びる。支持部７１Ｂは、第１下カバー２Ａの右壁部２３（図３参照）の貫通穴２３２、２３３（図３参照）の内側に配置される。支持部７１Ｂは、制御基板８２（図２１参照）に実装された非図示のＵＳＢソケット、及び、制御基板８１（図２１参照）に実装された非図示の電源ソケットを保持する。
【００５３】
支持部７１Ｃは、支持部７１Ａの左端部近傍から前側に延びる。支持部７１Ｃは、左右方向と直交する平板状の部材である。支持部７１Ｃの右面に、モータ７２が固定される。モータ７２の回転軸は左側に延び、支持部７１Ｃから左側に突出する。支持部７１Ｃの左面に、ギアボックス７２Ａが固定される。ギアボックス７２Ａは箱状であり、非図示の複数の連結ギアを内部に収容する。複数の連結ギアの１つは、モータ７２の回転軸に接続された非図示のギアに噛合する。図１５に示すように、ギアボックス７２Ａの後端部近傍の上側に、開口部７２Ｃが設けられる。複数の連結ギアの１つであるギア７２Ｂは、開口部７２Ｃから露出する。ギア７２Ｂは平歯車である。ギア７２Ｂの回転軸は左右方向に延びる。モータ７２が回転した場合、ギアボックス７２Ａ内の複数の連結ギアは回転し、これに応じてギア７２Ｂも回転する。
【００５４】
図１３に示すように、支持部７１Ｄは、支持部７１Ａの右端部近傍から後側に延びる。支持部７１Ｅは、支持部７１Ａの左端部近傍から後側に延びる。支持部７１Ｄ、７１Ｅは、それぞれ、左右方向と直交する平板状の部材を主な構成とする。支持部７１Ｄのうち、支持部７１Ａの右端部から後側に延びる板状部７０３の上端部に、下側に凹んだ凹部７０３Ａが設けられる。図１５に示すように、支持部７１Ｅのうち支持部７１Ａの左端部から後側に向けて、板状部７０３と同形状の板状部７０４が延びる。板状部７０４の上端部に、凹部７０３Ａと同形状の凹部７０４Ａが設けられる。板状部７０３、７０４で左右方向から挟まれ得た部分に、後述する係合部材７６が設けられる。
【００５５】
＜係合部材７６＞
図１６に示すように、係合部材７６は、第１係合部７７、７８、及び、第２係合部７９を有する。第１係合部７７、７８は、平板状である。第１係合部７７、７８の各面は、左右方向を向く。第１係合部７７、７８は、左右方向に離隔する。第１係合部７７、７８間の長さは、支持部７１Ｄの板状部７０３（図１５参照）と、支持部７１Ｅの板状部７０４（図１５参照）とのそれぞれの間の長さと略同一である。第１係合部７７は、第１係合部７８に対して右側に配置される。
【００５６】
第１係合部７７は、基部７７Ａ、延設部７７Ｂ、及び、突出部７７Ｃを有する。基部７７Ａは、貫通穴７７１、７７２、７７３を有する。貫通穴７７１は、基部７７Ａの前端且つ下端の近傍に形成される。貫通穴７７２は、貫通穴７７１の後斜め上側に形成される。貫通穴７７３は、貫通穴７７２の後側に形成される。延設部７７Ｂは、基部７７Ａの上端部のうち前後方向中央よりも後側から、上側に向けて延びる。突出部７７Ｃは、延設部７７Ｂの上端部に設けられ、前側に延びる。突出部７７Ｃの上端部は、後側から前側に向けて斜め下側に傾斜する。第１係合部７７の後端部は、基部７７Ａ及び突出部７７Ｃに対応する部分に対して、延設部７７Ｂに対応する部分が前側に凹む。
【００５７】
第１係合部７８は、第１係合部７７と略同一形状を有する。第１係合部７８の基部７８Ａ、延設部７８Ｂ、及び、突出部７８Ｃは、それぞれ、第１係合部７７の基部７７Ａ、延設部７７Ｂ、及び、突出部７７Ｃに対応する。第１係合部７８は、基部７８Ａの形状が第１係合部７７と相違する。第１係合部７８の基部７８Ａの後端部は、延設部７８Ｂの後端部に対して前側に凹む。基部７８Ａは、第１係合部７７の貫通穴７７１に対応する貫通穴７８１のみ有する。
【００５８】
第２係合部７９は、第１係合部７７、７８間に亘って延び、第１係合部７７、７８を連結する。第２係合部７９は、連結部７９Ａ、７９Ｂを有する。連結部７９Ａは、左右方向に細長い板状である。連結部７９Ａの各面は、上下方向を向く。連結部７９Ａは、第１係合部７７及び第１係合部７８のそれぞれの下端部の間に亘って延びる。連結部７９Ｂは、連結部７９Ａの前端部から上側に延びる。連結部７９Ｂは板状であり、各面は前後方向を向く。
【００５９】
図１５に示すように、第１係合部７７は、支持部７１Ｄの板状部７０３の左側に配置される。第１係合部７８は、支持部７１Ｅの板状部７０４の右側に配置される。図１４に示すように、第２係合部７９は、支持部７１Ａの後側に配置される。 
【００６０】
図１７に示すように、第１係合部７７の基部７７Ａ（図１６参照）の貫通穴７７１（図１６参照）に、支持部７１Ｄに保持された軸部７１１が左右方向に挿通する。第１係合部７７は、軸部７１１を中心として回転可能に支持される。軸部７１１にリリースカム７５が回転可能に支持される。リリースカム７５の基部には、ばね７１２が装着される。ばね７１２は、リリースカム７５を反時計回り方向に付勢する。図示されていないが、第１係合部７８の基部７８Ａ（図１６参照）の貫通穴７８１（図１６参照）に、支持部７１Ｅに保持された軸部が左右方向に挿通する。第１係合部７８は、軸部を中心として回転可能に支持される。
【００６１】
リリースカム７５には、後方向に延びる腕部７５１が設けられる。詳しく図示しないが、腕部７５１の先端には、右方向に突出する第１突出部と、左方向に突出する第２突出部７１３（図１５参照）が設けられる。第１突出部は、レバー２３Ｌに係合する。第２突出部７１３は、第１係合部７７の基部７７Ａ（図１６参照）の貫通穴７７３（図１６参照）に右側から挿通する。レバー２３Ｌが上下方向に移動した場合、第１突出部を介してリリースカム７５が回転して、第２突出部７１３が上下方向に移動する。第２突出部７１３の移動に応じて貫通穴７７３の位置も上下方向に移動する。貫通穴７７３の位置が上下動することに応じ、第１係合部７７は、軸部７１１を中心として回転する。第１係合部７７の回転に応じ、第２係合部７９（図１６参照）を介して第１係合部７７と連結する第１係合部７８も、同じ方向に回転する。ばね７１２は、リリースカム７５を介して、レバー２３Ｌを上方向に付勢すると共に、第１係合部７７、７８を反時計回り方向に付勢する。
【００６２】
レバー２３Ｌに下向きの力が作用しない場合、係合部材７６は、ばね７１２の付勢力に応じて反時計回り方向に回転する。図１７に示すように、第１係合部７７の突出部７７Ｃは前側に移動し、支持部７１Ｄの板状部７０３の凹部７０３Ａの上側に配置される。図示されていないが、第１係合部７８の突出部７８Ｃは、支持部７１Ｅの板状部７０４の凹部７０４Ａの上側に配置される。以下、係合部材７６反時計回り方向に回転した状態を「第１状態」といい、第１状態における係合部材７６（第１係合部７７、７８）の位置を「第１位置」という。
【００６３】
一方、レバー２３Ｌに下向きの力が作用した場合、係合部材７６は、ばね７１２の付勢力に反して時計回り方向に回転する。図１８に示すように、第１係合部７７の突出部７７Ｃは後側に移動し、支持部７１Ｄの板状部７０３の凹部７０３Ａに対して後側に配置される。図示されていないが、第１係合部７８の突出部７８Ｃは、支持部７１Ｅの板状部７０４の凹部７０４Ａに対して後側に配置される。以下、係合部材７６が時計回り方向に回転した状態を「第２状態」といい、第２状態における係合部材７６（第１係合部７７、７８）の位置を「第２位置」という。
【００６４】
＜第２カバー３の開閉動作＞
第２カバー３を閉塞状態とした場合（図１参照）、図１９に示すように、プラテン６１の右側のプラテン軸受６３は、第１フレーム７の支持部７１Ｄの凹部７０３Ａ（図１３参照）に上側から係合する。第１位置に配置された第１係合部７７の突出部７７Ｃは、プラテン軸受６３に上側から接触する。プラテン６１の左側のプラテン軸受６４は、第１フレーム７の支持部７１Ｅの凹部７０４Ａ（図１５参照）に上側から係合する。第１位置に配置された第１係合部７８の突出部７８Ｃは、プラテン軸受６４に上側から接触する。これらによって、プラテン体６０の上側に向かう移動は、係合部材７６によって制限される。係合部材７６は、第２カバー３を閉塞状態で維持し、ばね２５３の付勢力によって第２カバー３が開放状態に向けて時計回り方向に回転することを制限する。
【００６５】
図２０に示すように、閉塞状態において、プラテン６１は、第１フレーム７の可動板７４に設けられたサーマルヘッド７４Ａ（図１４参照）の後側に近接する。プラテン６１は、サーマルヘッド７４Ａとの間に印刷媒体が配置された場合、サーマルヘッド７４Ａに向けて印刷媒体を前側に押し付けることが可能となる。図１９に示すように、プラテン６１の左側のギア６５は、第１フレーム７に設けられたギア７２Ｂ（図１５参照）に噛み合う。モータ７２（図１５参照）の回転に応じてギア７２Ｂが回転した場合、ギア６５及びプラテン６１は連動して回転する。この場合、図２０に示すように、プラテン６１は、サーマルヘッド７４Ａに印刷媒体を押し付けながら、排出口２０に向けて印刷媒体を搬送することが可能となる。
【００６６】
閉塞状態において、レバー２３Ｌ（図１参照）を下側に移動させる操作が行われ、第１係合部７７、７８が第２位置に移動した場合を例示する。この場合、図１８に示すように、第１係合部７７の突出部７７Ｃは、支持部７１Ｄの凹部７０３Ａに対して後側に配置され、第１係合部７８の突出部７８Ｃは、支持部７１Ｅの凹部７０４Ａに対して後側に配置される。プラテン軸受６３、６４の上側に向かう方向は、係合部材７６によって制限されない状態になる。第２カバー３は、ばね２５３の付勢力によって時計回り方向に回転する。第２カバー３が時計回り方向に回転した場合、第１カバー２は開放状態（図２参照）になる。 
【００６７】
＜制御基板８＞
図２１に示すように、第１収容部２０Ａに制御基板８１、８２、８３が収容される。制御基板８１、８２、８３は、上下方向に間隔を空けて積層される。制御基板８１、８２、８３の各面は、上下方向を向く。制御基板８１〜８３は矩形板状である。制御基板８１〜８３は、下側から上側に向けて順番に並ぶ。以下、制御基板８１〜８３を総称して「制御基板８」ともいう。
【００６８】
制御基板８１には、モータ７２及びサーマルヘッド７４Ａ（図１４参照）に電力を供給する電源回路が主に実装される。制御基板８１の後端部は、第１フレーム７の支持部７１Ａの突出部７０Ａの前側の近傍に配置される。制御基板８１の右端部は、第１フレーム７の支持部７１Ｂ（図１３参照）の下側に配置される。制御基板８１の上面のうち右端部近傍に実装された電源ソケットは、支持部７１Ｂによって上側から支持される。電源ソケットは、右壁部２３の貫通穴２３３（図３参照）から露出する。制御基板８１の左端部は、モータ７２の下側に配置される。制御基板８１は、第１下カバー２Ａの下壁部２６の凹部２６０の上側に配置され、下壁部２６のうち第１フレーム７の支持部７１Ａよりも前側の部分全域を上側から覆う。
【００６９】
制御基板８１の前端部近傍の左右両側に形成された２つの貫通穴のそれぞれに、螺子８０が上側から挿通する。各螺子８０は、第１下カバー２Ａの下壁部２６から上側に突出する円柱状の延設部２６５の上端部の螺子穴に螺入する。これによって、制御基板８１の前端部は、第１下カバー２Ａに固定される。制御基板８１の後端部は、第１フレーム７の支持部７１Ａに設けられた突出部７０Ｂによって下側から支持される。
【００７０】
制御基板８２は、制御基板８１と比べて左右方向の長さが短い。制御基板８２の後端部は、第１フレーム７の支持部７１Ａの突出部７０Ａの前端部近傍に配置される。制御基板８２の左端部は、モータ７２の右側に配置される。制御基板８２の右端部は、第１フレーム７の支持部７１Ｂ（図１３参照）の上側に配置される。制御基板８２には、印刷装置１の制御全般を司るＣＰＵ等が実装される。制御基板８２の下面のうち右端部の近傍に実装されたＵＳＢソケットは、支持部７１Ｂによって下側から支持される。ＵＳＢソケットは、貫通穴２３２から露出する。制御基板８２の下面に実装されたコネクタは、制御基板８１の上面に実装されたコネクタと接続する。制御基板８２に実装されたＣＰＵ等は、制御基板８１に実装された電源回路等とコネクタを介して電気的に接続する。制御基板８２は、コネクタを介して制御基板８１に保持される。
【００７１】
図２２に示すように、制御基板８２の後端部のうち、右端部よりも僅かに左側の部分に、突出部８２Ａが設けられる。突出部８２Ａは、第１フレーム７の支持部７１Ａの突出部７０Ａのうち右端部の部分に、右側から近接する。第１上カバー２Ｂ（図４参照）の上壁部２１の内面から突出する突出部２１２は、制御基板８２の前端部のうち右端部の近傍の部分に、前側から近接する。
【００７２】
図２１に示すように、制御基板８３は、制御基板８２と比べて左右方向の長さが短い。制御基板８３には、無線モジュールが実装される。制御基板８３の下面に実装されたコネクタは、制御基板８２の上面に実装されたコネクタと接続する。制御基板８３に実装された無線モジュールは、制御基板８２に実装されたＣＰＵ等とコネクタを介して電気的に接続する。制御基板８３は、コネクタを介して制御基板８２に保持される。
【００７３】
第１上カバー２Ｂ（図４参照）の上壁部２１の内面から突出する突出部２１３（図４参照）は、制御基板８３に上側から接触し、下側に向けて押す。制御基板８は、第１下カバー２Ａの延設部２６５及び第１フレーム７の突出部７０Ｂ（図１３参照）と、第１上カバー２Ｂの突出部２１３とによって、上下両側から挟持される。これによって、制御基板８は、第１収容部２０Ａ内で保持される。
【００７４】
＜第２フレーム４＞
図１９に示すように、第２収容部２０Ｂに第２フレーム４が収容される。第２フレーム４は、第１フレーム７（図１２参照）に対して後側に配置される。図２０に示すように、第２フレーム４は、第１フレーム７の支持部７１Ａ、及び、係合部材７６の第２係合部７９に対して、後側に配置される。図２に示すように、第２フレーム４は、印刷媒体が巻回されたロール４０（図２参照）を保持する。
【００７５】
図２３に示すように、第２フレーム４は、板状の基礎部４１Ａ、４１Ｂ、４１Ｃを備えている。以下、基礎部４１Ａ〜４１Ｃを総称し、「基礎部４１」ともいう。基礎部４１Ａの形状は略矩形状である。図２４、図２５に示すように、基礎部４１Ａは、２つの貫通穴４１０を有する。２つの貫通穴４１０は、左右方向に離隔する。図２５、図２６に示すように、基礎部４１Ａの前面４１０Ａに、第１当接部４６Ａ、４６Ｂ、及び、第２当接部４７Ａ、４７Ｂが設けられる。以下、第１当接部４６Ａ、４６Ｂを総称して「第１当接部４６」という。第２当接部４７Ａ、４７Ｂを総称して「第２当接部４７」という。第１当接部４６及び第２当接部４７は、それぞれ、基礎部４１Ａを補強するためのリブとしての機能を有する。
【００７６】
第１当接部４６は、基礎部４１Ａの前面４１０Ａのうち上端部近傍に設けられ、前側に突出する。第１当接部４６Ａは右端部に設けられ、第１当接部４６Ｂは左端部に設けられる。第１当接部４６Ａ、４６Ｂは、基礎部４１Ａの上端部近傍の左右両側に設けられ、且つ、係合部材７６の第２係合部７９よりも上側に配置される。第２当接部４７は、基礎部４１Ａの前面４１０Ａのうち下端部近傍、言い換えれば、後述する基礎部４１Ｂとの境界部分に設けられ、前側に突出する。第２当接部４７Ａは右端部に設けられ、第２当接部４７Ｂは左端部に設けられる。第２当接部４７Ａ、４７Ｂは、基礎部４１Ａの下端部近傍の左右両側に設けられ、且つ、係合部材７６の第２係合部７９よりも下側に配置される。
【００７７】
図２３に示すように、基礎部４１Ｂは、基礎部４１Ａの下端部に接続し、後斜め下側に延びる。図２４に示すように、基礎部４１Ｂは、切欠き溝４１１、４１２を有する。切欠き溝４１１、４１２は、それぞれ、左右方向に長い矩形状である。切欠き溝４１１は、基礎部４１Ｂの右端部から左側に向けて延びる。切欠き溝４１２は、基礎部４１Ｂの左端部から右側に向けて延びる。切欠き溝４１１、４１２は左右方向に一列に並ぶ。隔離部４１３は、切欠き溝４１１、４１２を左右方向略中央で隔てる。図２５、図２６に示すように、隔離部４１３の前側に、非図示のピニオンギアを回転可能に支持する軸４１４が設けられる。
【００７８】
図２４に示すように、切欠き溝４１１に支持部４２が嵌合し、切欠き溝４１２に支持部４３が嵌合する。支持部４２は、切欠き溝４１１に沿って、基礎部４１の右端部から左右方向略中央までの間を左右方向に移動可能である。支持部４３は、切欠き溝４１２に沿って、基礎部４１の左端部から左右方向略中央までの間を左右方向に移動可能である。図２５に示すように、基礎部４１Ｂの前側において、支持部４２の上端部から左側にラックギア４２Ａが延びる。ラックギア４２Ａは、下端部に歯４２１Ａを有する。基礎部４１Ｂの前側において、支持部４３の下端部から右側にラックギア４３Ａが延びる。ラックギア４３Ａは、上端部に歯４３１Ａを有する。歯４２１Ａ、４３１Ａは、それぞれ、軸４１４に支持された非図示のピニオンギアに噛合する。
【００７９】
図２４に示すように、基礎部４１Ｂの後側において、支持部４２に挟持部４４が接続し、支持部４３に挟持部４５が接続する。図２３に示すように、挟持部４４、４５は、略円形の板状部材である。挟持部４４、４５の各面は、左右方向を向く。挟持部４４、４５は左右方向に離隔する。挟持部４４、４５は、それぞれ、中心に貫通穴を有する。挟持部４４の右側に、板状の支持部４４Ｂが配置される。支持部４４Ｂは、挟持部４４に対して揺動可能である。支持部４４Ｂには、左側に向けて突出する突出部４４Ａが設けられる。突出部４４Ａは、挟持部４４の貫通穴に右側から挿通する。突出部４４Ａの左端部は、挟持部４４の左面よりも左側に突出する。挟持部４５の左側に、板状の支持部４５Ｂが配置される。支持部４５Ｂは、挟持部４５に対して揺動可能である。支持部４５Ｂには、右側に向けて突出する突出部４５Ａが設けられる。突出部４５Ａは、挟持部４５の貫通穴に左側から挿通する。突出部４５Ａの右端部は、挟持部４５の右面よりも右側に突出する。
【００８０】
挟持部４４、４５は、ラックギア４２Ａ、４３Ａ（図２５参照）、及び、非図示のピニオンギアによって、左右方向に連動して移動する。例えば、挟持部４４が左側に所定量移動した場合、ラックギア４２Ａ、４３Ａ、及び、ピニオンギアは、挟持部４５を右側に所定量移動させる。即ち、ラックギア４２Ａ、４３Ａ、及び、ピニオンギアは、挟持部４４、４５が互いに近づく方向、又は、互いに遠ざかる方向の何れかに移動させる。
【００８１】
図２３に示すように、基礎部４１Ｃは、基礎部４１Ｂの下端部に接続し、後側に延びる。基礎部４１Ｃの左右両端部に、２つの貫通穴４１５が設けられる。
【００８２】
第２フレーム４は、次のようにして第２収容部２０Ｂ内に固定される。第２フレーム４の各貫通穴４１０（図２４参照）に、非図示の螺子が後側から挿通される、各螺子は、第１フレーム７の支持部７１Ａ（図１４参照）の螺子穴７１０Ｂ（図１４参照）に、後側から螺入する。これによって、第２フレーム４は、基礎部４１Ａの前面４１０Ａ（図２６参照）が支持部７１Ａと対向した状態で、第１フレーム７の支持部７１Ａの後側に固定される。このとき、第１フレーム７の支持部７１Ａと第２フレーム４の基礎部４１Ａとの間に、係合部材７６の第２係合部７９が配置される。又、第２フレーム４の各貫通穴４１５（図２３参照）に、非図示の螺子が上側から挿通される。各螺子は、第１下カバー２Ａの下壁部２６に設けられた延設部２６６（図３参照）の上面の螺子穴に、上側から螺入する。これによって、第２フレーム４は、基礎部４１Ｂ、４１Ｃがそれぞれ下壁部２６の内面に沿った状態で、第１下カバー２Ａに固定される。
【００８３】
図２７に示すように、第２収容部２０Ｂ内に第２フレーム４が固定された状態で、第１当接部４６は、第１フレーム７の支持部７１Ａのうち、可動板７４を保持する開口部７１０Ｈ（図１４参照）の左右両側部分（図１４参照）の後側に近接して配置される。支持部７１Ａと第１当接部４６とは前後方向に僅かに離隔し、双方の間に隙間が形成される。以下、第１フレーム７の支持部７１Ａと第２フレーム４の第１当接部４６との間の隙間の前後方向の長さを、「第１長さＬ１」という。又、第２当接部４７は、第１フレーム７の支持部７１Ａのうち開口部７１０Ｈよりも下側の部分の後側に近接して配置される。支持部７１Ａと第２当接部４７とは前後方向に僅かに離隔し、双方の間に隙間が形成される。この隙間の前後方向の長さは、支持部７１Ａと第１当接部４６との間の隙間の前後方向の長さである「第１長さＬ１」と略等しい。
【００８４】
図２８に示すように、第２フレーム４の基礎部４１Ａのうち、上下方向において第１当接部４６と第２当接部４７との間に挟まれた部分は、係合部材７６の第２係合部７９の連結部７９Ａのうち後端部の後側に近接して配置される。連結部７９Ａと基礎部４１Ａとは前後方向に離隔し、双方の間に隙間が形成される。以下、係合部材７６の第２係合部７９の連結部７９Ａと第２フレーム４の基礎部４１Ａとの間の隙間の前後方向の長さを、「第２長さＬ２」という。この場合、第２長さＬ２は第１長さＬ１よりも大きい（Ｌ１＜Ｌ２）。
【００８５】
図２に示すように、第２収容部２０Ｂにロール４０が収容される場合、第２フレーム４は、ロール４０の右端部を挟持部４４（図２３参照）によって支持し、ロール４０の左端部を挟持部４５（図２３参照）によって支持する。このとき、ロール４０の幅に合わせて挟持部４４、４５が左右方向に連動して移動し、突出部４４Ａ、４５Ａ間の間隔が調整される。挟持部４４から左側に突出する突出部４４Ａ、及び、挟持部４５から右側に突出する突出部４５Ａは、それぞれ、ロール４０の筒状の芯（非図示）の内側に挿入する。これによって、ロール４０は、挟持部４４、４５によって外側から回転可能に挟持される。
【００８６】
＜本実施形態の主たる作用、効果＞
第２カバー３が閉じた状態の印刷装置１において、前壁部２２を下側に向けた状態で落下させた場合を例示する。この場合、第２フレーム４に保持されたロール４０に衝撃が作用し、前側に移動する場合がある。又、移動したロール４０が基礎部４１Ａに接触し、基礎部４１Ａが前側に湾曲するように変形する場合がある。ここで、基礎部４１Ａの前側には、第１状態の係合部材７６の第２係合部７９が配置されている。例えば、湾曲した基礎部４１Ａが後側から第２係合部７９に接触した場合、第２係合部７９が前側に押されることによって係合部材７６が時計回り方向に回転し、係合部材７６の位置が第１位置から第２位置に移動する可能性がある。この場合、閉塞状態の第２カバー３は、ばね２５３の付勢力によって時計回り方向に回転可能となるので、第２カバー３が開放状態となる場合がある。落下時に第２カバー３が開放状態となる場合、印刷が継続できなくなるばかりでなく、例えば、第２収容部２０Ｂのロール４０が第２フレーム４から外れて外部に放出される可能性もあり、好ましくない。
【００８７】
これに対し、印刷装置１において、第２フレーム４に第１当接部４６及び第２当接部４７が設けられる。第１当接部４６及び第２当接部４７は、第２フレーム４の変形に応じて第１フレーム７の支持部７１に当接する。つまり、第２フレーム４が変形しても、基礎部４１Ａは係合部材７６の第２係合部７９に接触しない。これによって、印刷装置１は、第２フレーム４の基礎部４１Ａが第２係合部７９に接触することによって係合部材７６の位置が第１位置から第２位置に移動し、第２カバー３が開放することを抑制できる。従って、印刷装置１は、落下の衝撃で第２カバー３が開放することを、第２フレーム４に設けられた第１当接部４６及び第２当接部４７によって抑制できる。
【００８８】
係合部材７６は、左右方向に離隔した第１係合部７７、７８を有する。これによって、係合部材７６は、第２カバー３のプラテン体６０と２箇所で係合可能となる。このため、印刷装置１は、第２カバー３の閉塞状態を、係合部材７６によって安定的に維持できる。又、係合部材７６は、第１係合部７７、７８を連結する第２係合部７９を有する。これによって、係合部材７６は、第１係合部７７、７８を第１位置と第２位置との間で連動して移動させることができる。更に、印刷装置１は、落下時等において第２フレーム４の基礎部４１Ａが第２係合部７９に接触することによって第１係合部７７、７８が第２位置に移動し、第２カバー３が開放することを、第１当接部４６及び第２当接部４７によって抑制できる。
【００８９】
第１当接部４６は、第２フレーム４の基礎部４１Ａの左右両側に第１当接部４６Ａ、４６Ｂを有する。このため、印刷装置１は、左右方向に延びる第２係合部７９に第２フレーム４の基礎部４１Ａが接触することを、左右両側で抑制できる。このため、印刷装置１は、第２係合部７９の左右方向の全域に亘って第２フレーム４が接触することを抑制できるので、第２カバー３が開放することを適切に抑制できる。
【００９０】
第２フレーム４は、基礎部４１Ａの上端部に第１当接部４６を有し、基礎部４１Ａの下端部に第２当接部４７を有する。第１当接部４６及び第２当接部４７は、係合部材７６の第２係合部７９を上下両側から挟む。このため、印刷装置１は、係合部材７６の第２係合部７９に第２フレーム４の基礎部４１Ａが接触することを、第２係合部７９に対して上下両側で抑制できる。このため、印刷装置１は、第２係合部７９に対して第１当接部４６及び第２当接部４７が上下方向の一方側にのみ設けられる場合と比べて、第２係合部７９に第２フレーム４が接触することを抑制できるので、第２カバー３が開放することを適切に抑制できる。
【００９１】
印刷装置１は、後端部で回転可能に支持された第２カバー３に対し、前端部のプラテン体６０のプラテン軸受６３、６４に係合部材７６を係合させることによって、第２カバー３を閉塞状態で安定的に維持できる。このとき、プラテン６１の左右方向の外側を第１係合部７７、７８で支持することになるので、プラテン６１の位置を安定化できる。このため、印刷装置１は、第２カバー３を閉塞状態とすることによって、プラテン６１をサーマルヘッド７４Ａに安定的に押し当てることができるので、印刷の品質を良好に維持できる。
【００９２】
第１フレーム７の支持部７１Ａは、第１カバー２の第１収容部２０Ａの後端部近傍、つまり、第１カバー２の内部空間のうち前後方向略中央に配置される。第２フレーム４は、第１カバー２の内部空間のうち前後方向略中央から後端部までの部分である第２収容部２０Ｂに収容される。このため、第２フレーム４の基礎部４１Ａは、第１フレーム７の支持部７１Ａに対して後側に配置される。又、第２フレーム４は、左右方向に移動可能な挟持部４４、４５を有する。挟持部４４、４５は、ロール４０を左右両側から挟持可能である。落下時において前側に向かう方向の力がロール４０に作用した場合、挟持部４４、４５からロール４０が前側に脱離し、第２フレームの基礎部４１Ａに接触して変形する場合がある。これに対し、第１当接部４６及び第２当接部４７は、第２フレーム４の基礎部４１Ａのうち、第１フレーム７と対向する前面４１０Ａに形成される。これによって、基礎部４１Ａが変形すると、第１当接部４６及び第２当接部４７が第１フレーム７に当接する。従って、印刷装置１は、基礎部４１Ａが係合部材７６に接触して第２カバー３が開放することを、第１当接部４６及び第２当接部４７によって抑制できる。
【００９３】
第１フレーム７の支持部７１Ａと第２フレーム４の第１当接部４６との間の隙間の前後方向の長さ、及び、第１フレーム７の支持部７１Ａと第２フレーム４の第２当接部４７との間の隙間の前後方向の長さである第１長さＬ１は、係合部材７６の第２係合部７９の連結部７９０Ａと第２フレーム４の基礎部４１Ａとの間の隙間の前後方向の長さである第２長さＬ２よりも小さい（Ｌ１＜Ｌ２）。この場合、第２フレーム４の基礎部４１Ａが変形したときに、第１フレーム７の支持部７１Ａに第１当接部４６及び第２当接部４７が当接して隙間がなくなっても、係合部材７６の第２係合部７９と第２フレーム４の基礎部４１Ａとの間には隙間が維持される。このため、印刷装置１は、第２フレーム４が係合部材７６に接触して第２カバー３が開放することを、第１当接部４６及び第２当接部４７によって適切に抑制できる。
【００９４】
第３収容部２０Ｃに電池５を装着する場合、使用者は、電池５を左壁部５５側から第３収容部２０Ｃに挿入させる。第３収容部２０Ｃに電池５が収容される過程で、右壁部５４側の突出部５１０は、第３収容部２０Ｃの凹部２６Ｂに嵌る。電池５が完全に装着された状態でも、電池５の突出部５１０は凹部２６Ｂの左端部には接触しない。ここで例えば、使用者が誤って電池５を右壁部５４側から第３収容部２０Ｃに挿入させようとした場合を例示する。この場合、第３収容部２０Ｃに電池５を挿入する途中で、第３収容部２０Ｃの凹部２６Ｂの左端部に電池５の右壁部５４側の突出部５１０が当接し、挿入が止められる。つまり、電池５の挿入は、第３収容部２０Ｃに電池５が完全に装着される前に妨げられる。これより、使用者は、電池５を誤って左右反対に装着しようとしたことに気付く。このように、印刷装置１は、電池５に突出部５１０を設け、且つ、第３収容部２０Ｃに凹部２６Ｂを形成させることによって、電池５が左右反対の状態で第３収容部２０Ｃに収容されることを防止できる。
【００９５】
なお、第３収容部２０Ｃの凹部２６Ｂは、左側に所定距離だけ延びる。即ち、凹部２６Ｂの左端部は、第３収容部２０Ｃの右端部から所定距離だけ左方に配置されている。この理由は、使用者が、電池５を少し傾けた状態にして、右壁部５４側から無理に挿入することを防止するためである。具体的には、凹部２６Ｂの左右方向の長さが短く、凹部２６Ｂの左端部が第３収容部２０Ｃの右端部近傍に配置されているとした場合、電池５を少し傾けた状態（例えば右上がり）にして右壁部５４側から無理に挿入すると、電池５の突出部５１０が凹部２６Ｂの左端部を通過して左方向に移動してしまうことがある。これに対し、本実施形態では、第３収容部２０Ｃの右端部から所定距離だけ左方に凹部２６Ｂの左端部を配置している。このため、電池５を少し傾けた状態にして右壁部５４側から第３収容部２０Ｃに挿入すると、電池５は、第３収容部２０Ｃの第１内壁部２６１、２６２、第２内壁部２６３、及び蓋部材２６Ａの上面で案内されて傾きがないよう修正され、電池５の突出部５１０は凹部２６Ｂの左端部に確実に当接する。従って、使用者が電池５を右壁部５４側から第３収容部２０Ｃに無理やり挿入させようとすることを防止できる。
【００９６】
電池５は、左側に突出する突出部５５Ａ、突出部５５Ｂ、突出部５５Ｃを左壁部５５に有する。第３収容部２０Ｃに電池５が装着された状態で、第３収容部２０Ｃのばね２６Ｄは、電池５の左壁部５５のうち、突出部５５Ｂの下側且つ突出部５５Ｃの後側の部分Ｐ１に接触して圧縮変形し、電池５を右側に付勢する。この場合、電池５の突出部５５Ｂ、突出部５５Ｃは、左壁部５５のうちばね２６Ｄが接触する部分Ｐ１の位置が変動することを抑制できる。従って、印刷装置１に作用する衝撃等によって電池５に対するばね２６Ｄの接触位置が変動することを抑制できる。この場合、部分Ｐ１が変動すると、ばね２６Ｄは左右方向に対して傾斜して圧縮される。これより、ばね２６Ｄが発生する付勢力がばらついたり、ばね２６Ｄの変形が元に戻らなくなる虞もある。本実施形態では、ばね２６Ｄが接触する部分Ｐ１の位置が変動することを抑制できるので、ばね２６Ｄは電池５を安定的に付勢できる。従って、印刷装置１は、第３収容部２０Ｃ内で電池５を安定的に保持できる。
【００９７】
制御基板８２の突出部８２Ａは、第１フレーム７の支持部７１Ａの突出部７０Ａのうち右端部の部分に、右側から近接する。このため、例えば落下時の衝撃等で制御基板８２に左側に向かう方向の力が作用した場合、制御基板８２の突出部８２Ａは、支持部７１Ａの突出部７０Ａに右側から当接する。これによって、印刷装置１は、制御基板８２が右側に移動することを、制御基板８２の後側で抑制できる。なお、左側に向かう方向の力が作用することによって制御基板８２の突出部８２Ａが突出部７０Ａに当接した場合、制御基板８２は、上側から見て時計回りに回転しようとする場合がある。これに対し、第１上カバー２Ｂの上壁部２１の内面から突出する突出部２１２は、制御基板８２の前端部のうち右端部の近傍の部分に前側から近接する。このため、上記のように制御基板８２が回転しようとした場合、第１上カバー２Ｂの突出部２１２が制御基板８２に当接し、制御基板８２の回転は前側で防止される。
【００９８】
このように、制御基板８２に突出部８２Ａを設け、且つ、第１上カバー２Ｂに突出部２１２を設けることによって、制御基板８２に対して左側に向かう方向の力が作用した場合でも、制御基板８２が移動することを適切に抑制できる。特に、印刷装置１の場合、制御基板８２は、制御基板８１と電気的に接続するためのコネクタを介して、制御基板８１に保持される。このため、制御基板８２は、外力が作用した場合に移動し易い。これに対し、印刷装置１は、制御基板８２の突出部８２Ａ及び第１上カバー２Ｂの突出部２１２によって、制御基板８２の上下両側から移動を抑制できる。従って、印刷装置１は、制御基板８２が外力に応じて移動することを適切に抑制できる。
【００９９】
係合部材７６のうち第１係合部７７の後端部は、基部７７Ａ及び突出部７７Ｃに対応する部分に対して、延設部７７Ｂに対応する部分が前側に凹む。又、係合部材７６のうち第１係合部７８の後端部は、延設部７８Ｂに対応する部分に対して、基部７８Ａの後端部が前側に更に凹む。これに対し、従来の係合部材７６０を図２９に示す。係合部材７６０と、本実施形態における係合部材７６（図１６参照）とでは、次の２つの点で形状が相違する。
【０１００】
１点目は、第１係合部７７、７８のそれぞれの後端部の形状である。係合部材７６０では、第１係合部７７、７８のそれぞれの後端部が上下方向に直線状に延びる。このため、従来の係合部材７６０の方が、本実施形態の係合部材７６に比べて、重心の位置が後側に配置される。つまり、係合部材７６では、後端部のうち延設部７７Ｂ、７８Ｂに対応する部分を前側に凹ませることによって、重心を相対的に前側に配置させている。これによって、係合部材７６は、印刷装置１の落下時の衝撃で係合部材７６自体が自重によって第１位置から第２位置に向けて回転しようとする力を、従来の係合部材７６０よりも小さくできる。
【０１０１】
２点目は、貫通穴７７２の有無である。従来の係合部材７６０は、本実施形態における係合部材７６の貫通穴７７２に対応する貫通穴を有さない。このため、係合部材７６０の重量は、係合部材７６よりも重い。つまり、係合部材７６の重量は、後端部のうち延設部７７Ｂ、７８Ｂに対応する部分を前側に凹ませ、且つ貫通穴７７２を設けることによって、軽量化されている。これによって、係合部材７６は、印刷装置１の落下時の衝撃で係合部材７６自体が自重によって第１位置から第２位置に向けて回転しようとする力を、従来の係合部材７６０よりも小さくできる。
【０１０２】
従って、印刷装置１は、落下の衝撃で係合部材７６が第１位置から第２位置に向けて回転し、第２カバー３が開放することを、係合部材７６の重心を相対的に前側に移動したり軽量化したりすることによって、従来の係合部材７６０よりも効果的に抑制できる。
【０１０３】
＜変形例１＞
図３０〜図３２を参照し、第１変形例における印刷装置１Ｂについて説明する。印刷装置１Ｂは、第２収容部２０Ｂが小さい点、及び、第２フレーム４の代わりに第２フレーム９が第２収容部２０Ｂに収容されるという点で、印刷装置１と異なる。その他の構成は、印刷装置１と同一である（図３０参照）。以下、印刷装置１（図１等参照）と同一の構成については、同一符号を付し、説明を省略する。
【０１０４】
図３１に示すように、印刷装置１Ｂの第２収容部２０Ｂの前後方向の長さは、印刷装置１の第２収容部２０Ｂの前後方向の長さの略２／３である。このため、第１カバー２の端部２３Ａ、２４Ａ、及び、第２カバー３のそれぞれの前後方向の長さも、印刷装置１よりも短くなっている。
【０１０５】
図３１、図３２に示すように、印刷装置１Ｂの第２収容部２０Ｂには、第２フレーム９が収容される。図３２に示すように、第２フレーム９は、基礎部９１Ａ、９１Ｂ（以下、「基礎部９１」ともいう。）、及び、挟持部９４、９５を有する。基礎部９１Ａ、９１Ｂは、それぞれ、平板状である。基礎部９１は、印刷装置１の基礎部４１（図２３参照）に対応する。基礎部９１Ａは、印刷装置１の基礎部４１Ａ、４１Ｂに対応する。基礎部９１Ｂは、印刷装置１の基礎部４１Ｃに対応する。基礎部９１Ａの前面は、第１フレーム７の支持部７１Ａと対向する。このとき、支持部７１Ａと基礎部９１Ａとの間に、係合部材７６の第２係合部７９が配置される。基礎部９１Ａの前面に、非図示の第１当接部及び第２当接部が設けられる。第１当接部及び第２当接部の形状は、印刷装置１における第１当接部４６及び第２当接部４７と同一である。
【０１０６】
基礎部９１Ａに設けられた２つの貫通穴に、螺子９２が後側から挿入される。各螺子９２は、第１フレーム７の支持部７１Ａ（図１４参照）の螺子穴７１０Ｂ（図１４参照）に、後側から螺入する。これによって、第２フレーム９は、基礎部９１Ａの前面が支持部７１Ａと対向した状態で、第１フレーム７の支持部７１Ａの後側に固定される。このとき、第１フレーム７の支持部７１Ａと第２フレーム９の基礎部９１Ａとの間に、係合部材７６の第２係合部７９が配置される。
【０１０７】
基礎部９１Ｂは、基礎部９１Ａの後端部から後側に向けて延びる。基礎部９１Ｂの後端部の左右両側近傍に設けられた貫通穴に、螺子９３が上側から挿通される。各螺子９３は、第１下カバー２Ａの下壁部２６に設けられた延設部２６６（図３参照）の上面の螺子穴に、上側から螺入する。これによって、第２フレーム９は、基礎部９１Ｂが下壁部２６の内面に沿った状態で、第１下カバー２Ａに固定される。
【０１０８】
挟持部９４は、基礎部９１Ｂの右端部から上側に延びる。挟持部９４は、左右方向と直交する板状部９４Ａを有する。挟持部９５は、基礎部９１Ｂの左端部から上側に延びる。挟持部９５は、左右方向と直交する板状部９５Ａを有する。板状部９４Ａ、９５Ａの各内面は対向する。印刷装置１と異なり、挟持部９４、９５は左右方向に移動しない。このため、板状部９４Ａ、９５Ａの間の間隔は一定である。非図示の印刷媒体は、基礎部９１Ａ、９１Ｂ、及び、板状部９４Ａ、９５Ａで囲まれた空間に配置される。
【０１０９】
以上のように、印刷装置１Ｂでは、印刷装置１と同様、第２フレーム９に第１当接部及び第２当接部が設けられる。第１当接部及び第２当接部は、落下時の衝撃で第２フレーム９が変形した場合、第１フレーム７の支持部７１に当接するので、基礎部９１Ａは係合部材７６の第２係合部７９に接触しない。これによって、印刷装置１Ｂは、第２フレーム９の基礎部９１Ａが第２係合部７９に接触することによって係合部材７６の位置が第１位置から第２位置に移動し、第２カバー３が開放することを抑制できる。
【０１１０】
＜変形例２＞
図３３、３４を参照し、第２変形例における第２フレーム４Ｂについて説明する。第２フレーム４Ｂは、係止部４８を更に有するという点で、上記の第２フレーム４と相違する。その他の構成は、第２フレーム４と同一である。以下、第２フレーム４と同一の構成については、同一符号を付し、説明を省略する。
【０１１１】
図３３に示すように、係止部４８は、第２フレーム４Ｂの基礎部４１Ａの前面４１０Ａのうち、第１当接部４６の下側に設けられる。係止部４８は、基礎部４１Ａの前面４１０Ａから前側に突出する。係止部４８は、第１当接部４６Ａの下側に設けられる非図示の係止部と、第１当接部４６Ｂの下側に設けられる係止部４８Ｂとを有する。第１当接部４６と係止部４８は、一体となってリブを形成する。
【０１１２】
係止部４８は、係合部材７６の第２係合部７９のうち、連結部７９Ａの上側、且つ、連結部７９Ｂの上斜め後側に配置される。図３３に示すように、係合部材７６の位置が第１状態（図中実線）と第２状態（図中点線）との間で移動する場合の移動経路と、係止部４８とは重ならない。このため、係合部材７６の位置が第１位置と第２位置との間で移動する場合、第２係合部７９は係止部４８に接触しない。
【０１１３】
これに対し、第２フレーム４Ｂに保持されたロール４０（図２参照）に衝撃が作用して前側に移動し、基礎部４１Ａに接触した場合を例示する。この場合、例えば図３４に示すように、第２フレーム４Ｂの基礎部４１Ａに矢印Ｙ２の向きの力が作用し、基礎部４１Ａは前側に湾曲する。このとき、係止部４８の前端部は、第１状態の係合部材７６の第２係合部７９の連結部７９Ｂの上端部に、上側から当接する。係止部４８は、係合部材７６の位置が第１位置から第２位置に向けて移動するときの移動経路の一部に配置される。このため、この状態で係合部材７６の位置が第１位置から第２位置に移動しようとした場合でも、係合部材７６の位置の移動は、連結部７９Ｂが係止部４８に下側から接触することによって抑制される。
【０１１４】
以上のように、係止部４８は、第２フレーム４Ｂの基礎部４１Ａが変形した状態で、係合部材７６の位置が第１位置から第２位置まで移動するときの第２係合部７９の移動経路の何れかに配置される。この状態で、係合部材７６の第１位置から第２位置までの位置の移動は、係止部４８によって規制される。従って、印刷装置１は、外力によって第２フレーム４Ｂが変形した場合、係合部材７６の位置が第１位置から第２位置に移動して第２カバー３が開放することを、係止部４８によって適切に抑制できる。
【０１１５】
＜その他の変形例＞
本発明は上記実施形態に限定されず、種々の変更が可能である。印刷装置１の印刷方式は感熱方式に限定されず、他の方式（例えば、熱転写式、インクジェット方式等）であってもよい。第１フレーム７は、支持部７１Ａから後側に向けて突出する当接部を更に有していてもよい。この場合、落下時の衝撃で第２フレーム４が変形し、第１位置にある係合部材７６の第２係合部７９に基礎部４１が接触して第２位置に移動することを、第１フレーム７の当接部が第２フレーム４の基礎部４１の前面４１０Ａに当接することで抑制してもよい。更にこの場合、第２フレーム４の基礎部４１Ａに第１当接部４６及び第２当接部４７は設けられていなくてもよい。
【０１１６】
印刷装置１の係合部材７６の左右方向の長さ、即ち、第１係合部７７、７８との間の左右方向の幅が、第２フレーム４の基礎部４１の左右方向の長さより短くてもよい。この場合において、係合部材７６全体が、第２フレーム４の基礎部４１に対して前側に配置されてもよい。例えば印刷装置１は、落下時の衝撃で第２フレーム４が変形し、第１位置にある第１係合部７７、７８の下側近傍に基礎部４１が接触して第２位置に移動することを、第１当接部４６及び第２当接部４７によって抑制してもよい。
【０１１７】
第１当接部４６は、第２フレーム４の基礎部４１Ａの左右両側の端部近傍の間に亘って形成されていてもよい。つまり、第１当接部４６は、第１当接部４６Ａ、４６Ｂ間が連結した構造を有していてもよい。第２当接部４７は、第２フレーム４の基礎部４１Ａの左右両側の端部近傍の間に亘って形成されていてもよい。つまり、第２当接部４７は、第２当接部４７Ａ、４７Ｂ間が連結した構造を有していてもよい。第１当接部４６は、左右両側（第１当接部４６Ａ、４６Ｂ）のうち何れかのみを有していてもよい。第２当接部４７は、左右両側（第２当接部４７Ａ、４７Ｂ）のうち何れかのみを有していてもよい。例えば、第１当接部４６Ａ及び第２当接部４７Ａ、第１当接部４６Ａ及び第２当接部４７Ｂ、第１当接部４６Ｂ及び第２当接部４７Ａ、第１当接部４６Ｂ及び第２当接部４７Ｂの組み合わせで第２フレーム４に設けられていてもよい。第２フレーム４は、第１当接部４６及び第２当接部４７の何れか一方のみ備えていてもよい。
【０１１８】
第２カバー３を閉塞状態とした場合に係合部材７６が係合する部位は、プラテン６１の左右方向外側のプラテン軸受６３、６４に限定されない。例えば、印刷装置１は、第２カバー３本体の左右方向両端部の何れかの部位に第１係合部７７，７８を直接係合させてもよい。
【０１１９】
第２フレーム４の第１当接部４６は、第１フレーム７の支持部７１Ａに常に接触していてもよい。第２フレーム４の第２当接部４７は、第１フレーム７の支持部７１Ａに常に接触していてもよい。つまり、通常状態において、第１当接部４６と第１フレーム７との間、及び、第２当接部４７と第１フレーム７との間に隙間は形成されなくてもよい。
【０１２０】
＜その他＞
前後方向は、本発明の「第１方向」の一例である。前側は、本発明の「第１方向の一方側」の一例である。後側は、本発明の「第１方向の他方側」の一例である。第２収容部２０Ｂは、本発明の「収容部」の一例である。サーマルヘッド７４Ａは、本発明の「感熱ヘッド」の一例である。第１フレーム７の支持部７１Ａは、本発明の「支持部」の一例である。
【符号の説明】
【０１２１】
１、１Ｂ      ：印刷装置
２        ：第１カバー
２Ｃ      ：開口部
３        ：第２カバー
４、４Ｂ、９      ：第２フレーム
７      ：第１フレーム
１０      ：筐体
２０Ａ    ：第１収容部
２０Ｂ    ：第２収容部
２０Ｃ    ：第３収容部
４０      ：ロール
４１、９１    ：基礎部
４４、４５      ：挟持部
４６、４６Ａ、４６Ｂ    ：第１当接部
４７、４７Ａ、４７Ｂ    ：第２当接部
４８      ：係止部
６１      ：プラテン
７４Ａ    ：サーマルヘッド
７６      ：係合部材
７７、７８      ：第１係合部
７９      ：第２係合部
【図１】
2018039217.tif 000003
【図２】
2018039217.tif 000004
【図３】
2018039217.tif 000005
【図４】
2018039217.tif 000006
【図５】
2018039217.tif 000007
【図６】
2018039217.tif 000008
【図７】
2018039217.tif 000009
【図８】
2018039217.tif 000010
【図９】
2018039217.tif 000011
【図１０】
2018039217.tif 000012
【図１１】
2018039217.tif 000013
【図１２】
2018039217.tif 000014
【図１３】
2018039217.tif 000015
【図１４】
2018039217.tif 000016
【図１５】
2018039217.tif 000017
【図１６】
2018039217.tif 000018
【図１７】
2018039217.tif 000019
【図１８】
2018039217.tif 000020
【図１９】
2018039217.tif 000021
【図２０】
2018039217.tif 000022
【図２１】
2018039217.tif 000023
【図２２】
2018039217.tif 000024
【図２３】
2018039217.tif 000025
【図２４】
2018039217.tif 000026
【図２５】
2018039217.tif 000027
【図２６】
2018039217.tif 000028
【図２７】
2018039217.tif 000029
【図２８】
2018039217.tif 000030
【図２９】
2018039217.tif 000031
【図３０】
2018039217.tif 000032
【図３１】
2018039217.tif 000033
【図３２】
2018039217.tif 000034
【図３３】
2018039217.tif 000035
【図３４】
2018039217.tif 000036